(57)【要約】【課題】石綿やグラスウールマットなどの可撓性の材質の吸音断熱材を取付けた建屋の外壁材を取替える際に、固定ピン及び吸音断熱材を外壁材と共に廃棄せずにすみ、新しい外壁材に取付けることが可能な建屋の外壁材への吸音断熱材の取付構造を提供する。【解決手段】建屋１の外壁材５の屋内側に吸音断熱材３１を取付ける構造であって、固定部材５２に取付けた複数の固定ピン５１で固定部材５２に吸音断熱材３１を固定し、固定部材５２と吸音断熱材３１とを一体的に外壁材５に内側から取付けた。【選択図】        図１
2004339707.tif 000002
【特許請求の範囲】
【請求項１】
建屋の外壁材の屋内側に吸音断熱材を取付ける構造であって、固定部材に取付けた複数の固定ピンで該固定部材に前記吸音断熱材を固定し、前記固定部材と前記吸音断熱材とを一体的に前記外壁材に内側から取付けたことを特徴とする建屋の外壁材への吸音断熱材の取付構造。
【請求項２】
請求項１記載の建屋の外壁材への吸音断熱材の取付構造において、前記固定部材を前記外壁材側に、前記吸音断熱材を屋内側に配置したことを特徴とする建屋の外壁材への吸音断熱材の取付構造。
【請求項３】
請求項１及び２のいずれか１項に記載の建屋の外壁材への吸音断熱材の取付構造において、前記外壁材には前記固定部材と前記吸音断熱材が一体的に挿入可能な胴縁が設けられ、前記外壁材の孔部に基部が挿入され前記胴縁を抱きかかえるように配置されたフックボルトにて前記固定部材と前記吸音断熱材が一体的に固定されることを特徴とする建屋の外壁材への吸音断熱材の取付構造。
【発明の詳細な説明】
【０００１】
【発明の属する技術分野】
本発明は、建屋の外壁材への吸音断熱材の取付構造に関するものである。なお、ここで吸音断熱材とは、吸音材を単体で使用する場合、断熱材を単体で使用する場合、及び吸音材と断熱材を併用する場合を含む。
【０００２】
【従来の技術】
従来より、図２に示すように建屋１内に位置する騒音発生源２からの騒音を建屋１の外部になるべく伝えないよう遮断するため、あるいは、建屋１の内部と外部の温度差を一定に保つなどの目的のために吸音断熱材３１が建屋１の外壁材５に取付けられて使用されている。そして、吸音断熱材３１は、外部の風雨などから保護されるよう外壁材５の屋内側に取付けられていた。このようなことは、例えば特許文献１にも記載されている。
【０００３】
ここで、建屋１は、外部から雨風を遮断する屋根部材３と、屋根部材３を支える柱部材４と、柱部材４に対して一定間隔を開けられて立設し外部から建屋１の内部を遮断する外壁材５により構成されている。
吸音断熱材３１には、石綿やグラスウールマットなどの可撓性の材質が使用されることが多く、このような場合、吸音断熱材３１の片面全面を外壁材５に接着固定すれば吸音断熱材３１が撓み、所定の厚さが確保できなくなるため、所定間隔の固定ピン３２で吸音断熱材３１を保持し、所定の厚さが確保できるよう図３に示すような構造を取らざるを得なかった。
【０００４】
すなわち、外壁材５に複数の固定ピン３２を接着固定し、その複数の固定ピン３２を吸音断熱材３１に貫通させ吸音断熱材３１を支持し、吸音断熱材３１の形状を保たせていた。そして、固定ピン３２の先端部３４には、吸音断熱材３１が固定ピン３２から外れないようにストッパー３５を設けていた。
そして、例えば、外壁材５に胴縁６が取付けられている場合は、吸音断熱材３１は胴縁６の内側に挿入され、上下の胴縁６の間に位置するように設けられるが、さらに吸音断熱材３１が外れないようにフックボルト３６を用いることもあった。
【０００５】
フックボルト３６は胴縁６を抱きかかえるように配置され、先端部には吸音断熱材３１を押圧可能なかぎ部３７が設けられ、基部は外壁材５の孔部３９を貫通したボルト部４０となっている。そして、ボルト部４０に螺合するナット４１を締めることでフックボルト３６は胴縁６に当接するため、かぎ部３７は吸音断熱材３１を適正な力で保持することができるようになっていた。
【０００６】
【特許文献１】
特公平７−１３３８７号公報
【０００７】
【発明が解決しようとする課題】
しかしながら、このように外壁材５に固定ピン３２を接着固定した場合、建屋１の外壁材５の取替の際には、既設の外壁材５の撤去に伴い固定ピン３２も同時に撤去せざるをえず、そのため、固定ピン３２で支持された吸音断熱材３１も同時に廃棄せざるをえなかった。このため、外壁材５の取替のコストが必要以上に嵩んでいた。
【０００８】
本発明はかかる事情に鑑みてなされたもので、建屋の外壁材の取替の際にも固定ピン及び吸音断熱材を廃棄せずにすみ、既設の固定ピン及び吸音断熱材を取替済みの新しい外壁材に取付けることが可能な建屋の外壁材への吸音断熱材の取付構造を提供することを目的とする。
【０００９】
【課題を解決するための手段】
前記目的に沿う第１の発明に係る建屋の外壁材への吸音断熱材の取付構造は、建屋の外壁材の屋内側に吸音断熱材を取付ける構造であって、固定部材に取付けた複数の固定ピンで該固定部材に前記吸音断熱材を固定し、前記固定部材と前記吸音断熱材とを一体的に前記外壁材に内側から取付けている。
このように構成することで、吸音断熱材を固定する固定ピンが建屋の外壁材に直接取付けられず、固定部材に取付けられているため、外壁材を取替える際も、既設の固定ピン及び吸音断熱材を既設の外壁材と共に廃棄する必要はなく、流用が可能である。
【００１０】
前記目的に沿う第２の発明に係る建屋の外壁材への吸音断熱材の取付構造は、第１の発明に係る建屋の外壁材への吸音断熱材の取付構造において、前記固定部材を前記外壁材側に、前記吸音断熱材を屋内側に配置している。
このように構成することで、固定部材に取付けた吸音断熱材の取付状態が肉眼で確認でき、メンテナンスを容易にすることができる。
【００１１】
前記目的に沿う第３の発明に係る建屋の外壁材への吸音断熱材の取付構造は、第１及び第２の発明に係る建屋の外壁材への吸音断熱材の取付構造において、前記外壁材には前記固定部材と前記吸音断熱材が一体的に挿入可能な胴縁が設けられ、前記外壁材の孔部に基部が挿入され前記胴縁を抱きかかえるように配置されたフックボルトにて前記固定部材と前記吸音断熱材が一体的に固定されている。
このように構成することで、フックボルトで、極めて簡単に、外壁材に固定部材と吸音断熱材を一体的に取付けることが可能である。
【００１２】
【発明の実施の形態】
続いて、添付した図面を参照しつつ、本発明を具体化した実施の形態につき説明し、本発明の理解に供する。
ここに、図１は本発明の一実施の形態に係る建屋の外壁材への吸音断熱材の取付構造を示す正断面図、図２は本発明の一実施の形態に係る建屋の外壁材への吸音断熱材の取付構造が適用される建屋の概略を示す断面図である。
【００１３】
まず、図１を参照して、本発明の一実施の形態に係る建屋の外壁材への吸音断熱材の取付構造について説明する。
図１に示すように、本実施の形態に係る建屋の外壁材への吸音断熱材の取付構造は、従来の技術で説明した建屋１の外壁材５の屋内側に吸音断熱材３１を取付ける構造（図２参照）と、以下に説明する固定ピン５１を固定部材５２に取付ける構造を除いて同一構成を有するので、同一の構成要素は同一の符号で示すと共に、それらの構成の説明は省略する。
【００１４】
図１に示すように、本実施の形態では、従来の技術における外壁材５に直接固定ピン３２を取付けた構造と異なり、固定ピン３２に相当する固定ピン５１を複数固定部材５２に取付けたことを特徴とする。
固定部材５２は、例えば角スタッドであり、固定部材５２の下には嵩上げのためのゲタ材５３が用いられている。
固定部材５２はこの場合、吸音断熱材３１と胴縁６の内側の間に挿入可能な大きさで固定ピン５１の間隔を維持できるような剛性のあるものであれば、角筒状、角棒状、板状など様々な形状のものの使用が可能である。
材質は、十分な機械的剛性を有する一方で安価に入手可能な一般構造用圧延鋼材（例えば、ＳＳ４００）を用いることができるが、特にこの材質に限定されるものではなく、ステンレス鋼やアルミ材、その他の材質を使用してもよい。
【００１５】
この固定部材５２に例えば接着固定して取付けた複数の固定ピン５１で、固定部材５２に吸音断熱材３１を固定して、固定部材５２と吸音断熱材３１を一体化する。外壁材５に設けられた上下の胴縁６の間に、一体化した固定部材５２と吸音断熱材３１を挿入して、胴縁６を抱きかかえるように配置したフックボルト３６で外壁材５に固定部材５２と吸音断熱材３１を一体的に固定する。
フックボルト３６の基部のボルト部４０は外壁材５の孔部３９に貫通させナット４１で締め、フックボルト３６の先端部のかぎ部３７で吸音断熱材３１を押圧する。
このようにすることで、吸音断熱材３１と外壁材５の縁が切れ（分離でき）、外壁材５の取替後に、吸音断熱材３１及び固定ピン５１を再利用することが可能となる。
【００１６】
なお、本実施の形態では、固定部材５２を外壁材５側に、吸音断熱材３１を建屋１の屋内側に設けているが、これは建屋１の屋内側から吸音断熱材３１の取付状態を肉眼で確認しやすくするためのものであり、可能であれば、固定部材５２と吸音断熱材３１の取付向きを逆方向にしてもよい。
【００１７】
また、本実施の形態では、建屋１の壁部分は外壁材５のみで構成されているが、外壁材５の屋内側に図示しない内壁材を設けた二重の壁部分を持つ建屋の場合も本発明の権利範囲に含まれる。その場合でも、外壁材５と内壁材の間に、本実施の形態で示されたように、吸音断熱材３１を保持した固定ピン５１を固定部材５２に取付け、固定部材５２と吸音断熱材３１を一体的に外壁材５に固定することが可能である。
【００１８】
【発明の効果】
請求項１〜３記載の建屋の外壁材への吸音断熱材の取付構造においては、固定部材に取付けた複数の固定ピンで吸音断熱材を固定し、固定部材と吸音断熱材とを一体的に外壁材に取付けている。
したがって、吸音断熱材を固定する固定ピンが建屋の外壁材に直接取付けられず、固定部材に取付けられているため、外壁材を取替える際も、既設の固定ピン及び吸音断熱材を既設の外壁材と共に廃棄する必要はなく、固定ピン及び吸音断熱材の流用が可能である。
【００１９】
特に、請求項２記載の建屋の外壁材への吸音断熱材の取付構造は、固定部材を外壁材側に、吸音断熱材を屋内側に配置したため、固定部材に取付けた吸音断熱材の取付状態が肉眼で確認でき、メンテナンスを容易にすることができる。
【００２０】
請求項３記載の建屋の外壁材への吸音断熱材の取付構造は、外壁材に固定部材と吸音断熱材が一体的に挿入可能な胴縁が設けられ、外壁材の孔部に挿入され胴縁を抱きかかえるように配置されたフックボルトにて固定部材と吸音断熱材を一体的に固定するようにしたので、フックボルトで、極めて簡単に、外壁材に固定部材と吸音断熱材を一体的に取付けることが可能である。
【００２１】
本発明により、外壁材の貼り替え時に、この外壁材に一体となっている吸音材又は断熱材において充分に継続して使用するに足りる場合に廃棄することなく再利用することを可能にすることで、地球環境保護や資源の有効活用に寄与することができる。
【図面の簡単な説明】
【図１】本発明の一実施の形態に係る建屋の外壁材への吸音断熱材の取付構造を示す正断面図である。
【図２】本発明の一実施の形態に係る建屋の外壁材への吸音断熱材の取付構造が適用される建屋の概略を示す断面図である。
【図３】従来例に係る建屋の外壁材への吸音断熱材の取付構造を示す正断面図である。
【符号の説明】
１：建屋、２：騒音発生源、３：屋根部材、４：柱部材、５：外壁材、６：胴縁、３１：吸音断熱材、３２：固定ピン、３４：先端部、３５：ストッパー、３６：フックボルト、３７：かぎ部、３９：孔部、４０：ボルト部、４１：ナット、５１：固定ピン、５２：固定部材、５３：ゲタ材
【図１】
2004339707.tif 000003
【図２】
2004339707.tif 000004
【図３】
2004339707.tif 000005